(57)【特許請求の範囲】
【請求項１】
内周面が流路を形成する雄筒体と、内周面が流路を形成し、かつ前記雄筒体の先端部が嵌入される雌筒体と、を有し、
前記両流路それぞれに、
頭部及びこの頭部の基端面から延出する前記頭部より小径の軸部を有する弁と、前記内周面に固定されて前記軸部を軸方向に移動可能に支持する弁支持具と、この弁支持具及び前記頭部の基端面間に介在されて前記頭部を先端側に付勢する付勢部材と、この付勢部材及び前記軸部が挿通され、かつ基端側から先端側に向かうに応じて径が広がる整流部材と、が配置され、
前記嵌入が外れた状態においては、前記頭部が先端側に付勢されて前記内周面に設けられた縮径部と当接し、この当接によって前記流路が塞がれ、前記嵌入の状態においては、前記両頭部が相互に押し合い、この押し合いにより前記両頭部が前記縮径部から離れて前記両流路が連通する、構成とされた弁付管継手であって、
前記縮径部は、軸方向に関して、縮径開始位置から縮径変化位置までを構成する基端側の縮径角度が相対的に大きく、前記縮径変化位置から縮径終了位置までを構成する先端側の縮径角度が相対的に小さくされているとともに、
前記縮径開始位置が前記嵌入の状態において前記頭部の最大径相当位置よりも先端側とされ、かつ、前記縮径開始位置から前記縮径変化位置までが断面視で当該縮径開始位置及び縮径変化位置を結ぶ直線よりも外方に湾曲している、
ことを特徴とする弁付管継手。
【請求項２】
前記弁支持具は、
前記軸部の周面に沿い、かつ相互に対向するように備えられた一対の軸通部と、
当該一対の軸通部の両端部からそれぞれ前記内周面まで延出する架渡し部と、
前記一対の軸通部からそれぞれ延出する相互に隣接する架渡し部の先端部と繋がり、かつ前記内周面に沿う基部とを有し、
前記軸通部、前記架渡し部及び前記基部が、いずれも前記流路の断面方向が肉薄となる板状とされ、
前記付勢部材は、前記弁支持具を介さずに前記軸部の周面上に配置され、
前記整流部材は、軸心部に軸方向に貫通する貫通孔を有し、この貫通孔に前記軸部及び前記付勢部材が挿通されることで当該付勢部材を囲い込むように配置され、かつ当該整流部材の先端部内周面から軸心側に突出する凸状部が前記付勢部材によって先端側に付勢されている、
請求項１記載の弁付管継手。
【請求項３】
前記基端側の縮径角度と前記先端側の縮径角度との差が、５〜６０°とされている、
請求項１又は請求項２記載の弁付管継手。
【発明の詳細な説明】
【技術分野】
【０００１】
本発明は、例えばカップラーなどといわれる弁付の管継手に関するものである。
【背景技術】
【０００２】
従来から、油圧機器などに用いられ、水や油などの流体が流れる管の継手として、カップラーなどといわれる弁付の管継手が知られている（例えば、特許文献１参照。）。この弁付の管継手は、同文献に示されるように（以下、同文献において用いられている符号を括弧書きで示す。）、ノーズなどといわれる雄継手（２２）と、ボディーなどといわれる雌継手（２１）との組合せで構成されている。
より詳細には、雄継手（２２）がノーズ本体などといわれる筒状の雄筒体を有し、この雄筒体の内周面が流路を形成している。同様に、雌継手（２１）がボディー本体などといわれる筒状の雌筒体を有し、この雌筒体の内周面も流路を形成している。このようにしてなる雄筒体及び雌筒体は、雄筒体の先端部を雌筒体の先端部内周面で形成された開口部に嵌入しつつ、例えば、螺合し、あるいは同文献のような連結機構を利用するなどの適宜の方法で固定して、連結することができる。
【０００３】
また、雄継手（２２）及び雌継手（２１）は、流路に、それぞれポペットバルブなどといわれる弁が備えられている。この弁は、弾性リングなどからなるシール材（４０）が備えられたポペットなどといわれるテーパー状（円錐状）の頭部（２４1，２４2）と、この頭部（２４1，２４2）の基端面（２４11，２４21）から延出する（つまり基端側に延出する）頭部（２４1，２４2）よりも小径の軸部とを有する。
さらに、雄継手（２２）及び雌継手（２１）は、流路に、ポペットガイド、羽根部などといわれる弁の支持具（２６）が備えられている。この弁支持具（２６）は、筒体の内周面に固定されて、前記弁の軸部を軸方向に移動可能に支持する。また、この弁支持具（２６）は、筒体の内周面にこの内周面から内周部が突出するように嵌め込まれた環状の掛止リング（２５）に掛止されている。なお、この掛止は、例えば、Ｃ型止め輪、スピロロックス等を利用して行われ、あるいは内周面の一部が縮径してなる突状部を利用して行われることなどもある。この掛止によって弁支持具（２６）は、筒体に対して、基端側へは移動不能に固定されている。
さらに、雄継手（２２）及び雌継手（２１）は、流路に、コイル状のスプリング、バネなどからなる付勢部材（２７）が備えられている。この付勢部材（２７）は、弁支持具（２６）と頭部（２４1，２４2）の基端面（２４11，２４21）との間に介在されており、したがって、頭部（２４1，２４2）は、付勢部材（２７）によって先端側に付勢される。そして、この付勢により、雄筒体の先端部が雌筒体の前述開口部に嵌入されていない状態（嵌入が外れた状態）においては、流路が塞がれた状態となる。より詳細には、この流路を形成する筒体の内周面には、軸心側（内方）に突出する縮径部（２８）が設けられている。そして、頭部（２４1，２４2）が付勢されて先端側に移動すると、当該縮径部（２８）の内周面と頭部（２４1，２４2）のテーパー面とが当接し、この当接によって流路が塞がれる。そして、この当接部からの流体の漏れを確実に防止するため、当該縮径部（２８）の内周面には、頭部（２４1，２４2）に備えられたシール材（４０）も当接するようになっている。
【０００４】
他方、雄筒体の先端部が雌筒体の前述開口部に嵌入された状態においては、両流路が連通した状態になる。より詳細には、まず、嵌入が外れた状態においては、一方の頭部（２４1）の先端部（２４10）が、雄筒体の内周面に形成された縮径部（２８）の先端面から突出し、他方の頭部（２４2）の先端部（２４20）が、雌筒体の内周面に形成された縮径部（２８）の先端面から突出している。また、嵌入状態においては、雄筒体の内周面に形成された縮径部（２８）の先端面と雌筒体の内周面に形成された縮径部（２８）の先端面とが突き当たり、位置決めされる。したがって、嵌入状態においては、両頭部（２４1，２４2）が相互に押し合い、この押し合いにより両頭部（２４1，２４2）が縮径部（２８）から離れ、もって両流路が連通する。
さらに、以上のようにして構成される弁付管継手は、両流路それぞれに、整流リングなどといわれる整流部材（１）が配置されている。この整流部材（１）は、付勢部材（２７）及び弁の軸部が挿通され、かつ基端側から先端側に向かうに応じて径が広がり、先端縁の径が頭部（２４1，２４2）の最大径に近づけられている。この整流部材（１）の配置により、流路内を流れる流体が、頭部（２４1，２４2）の基端面（２４11，２４21）に衝突するのを防止し、もって圧力損失の低減を図ろうとするものである。この整流部材（１）に関しては、例えば、特許文献２なども参考になる。
以上のようにして構成される弁付管継手は、雄継手（２２）と雌継手（２１）との連結が容易であり、また、整流部材（１）の配置によって圧力損失の低減が図られているが、更なる圧力損失の低減が求められ、その提案が期待されている。
【特許文献１】特開平８−３２００９２号公報
【特許文献２】特開昭５３−１１６５２３号公報
【発明の開示】
【発明が解決しようとする課題】
【０００５】
本発明が解決しようとする主たる課題は、圧力損失が低減された弁付管継手を提供することにある。
【課題を解決するための手段】
【０００６】
この課題を解決した本発明は、次のとおりである。
〔請求項１記載の発明〕
内周面が流路を形成する雄筒体と、内周面が流路を形成し、かつ前記雄筒体の先端部が嵌入される雌筒体と、を有し、
前記両流路それぞれに、
頭部及びこの頭部の基端面から延出する前記頭部より小径の軸部を有する弁と、前記内周面に固定されて前記軸部を軸方向に移動可能に支持する弁支持具と、この弁支持具及び前記頭部の基端面間に介在されて前記頭部を先端側に付勢する付勢部材と、この付勢部材及び前記軸部が挿通され、かつ基端側から先端側に向かうに応じて径が広がる整流部材と、が配置され、
前記嵌入が外れた状態においては、前記頭部が先端側に付勢されて前記内周面に設けられた縮径部と当接し、この当接によって前記流路が塞がれ、前記嵌入の状態においては、前記両頭部が相互に押し合い、この押し合いにより前記両頭部が前記縮径部から離れて前記両流路が連通する、構成とされた弁付管継手であって、
前記縮径部は、軸方向に関して、縮径開始位置から縮径変化位置までを構成する基端側の縮径角度が相対的に大きく、前記縮径変化位置から縮径終了位置までを構成する先端側の縮径角度が相対的に小さくされているとともに、
前記縮径開始位置が前記嵌入の状態において前記頭部の最大径相当位置よりも先端側とされ、かつ、前記縮径開始位置から前記縮径変化位置までが断面視で当該縮径開始位置及び縮径変化位置を結ぶ直線よりも外方に湾曲している、
ことを特徴とする弁付管継手。
〔請求項２記載の発明〕
前記弁支持具は、
前記軸部の周面に沿い、かつ相互に対向するように備えられた一対の軸通部と、
当該一対の軸通部の両端部からそれぞれ前記内周面まで延出する架渡し部と、
前記一対の軸通部からそれぞれ延出する相互に隣接する架渡し部の先端部と繋がり、かつ前記内周面に沿う基部とを有し、
前記軸通部、前記架渡し部及び前記基部が、いずれも前記流路の断面方向が肉薄となる板状とされ、
前記付勢部材は、前記弁支持具を介さずに前記軸部の周面上に配置され、
前記整流部材は、軸心部に軸方向に貫通する貫通孔を有し、この貫通孔に前記軸部及び前記付勢部材が挿通されることで当該付勢部材を囲い込むように配置され、かつ当該整流部材の先端部内周面から軸心側に突出する凸状部が前記付勢部材によって先端側に付勢されている、
請求項１記載の弁付管継手。
【０００７】
〔請求項３記載の発明〕
前記基端側の縮径角度と前記先端側の縮径角度との差が、５〜６０°とされている、
請求項１又は請求項２記載の弁付管継手。
【０００８】
【発明の効果】
【０００９】
本発明によると、圧力損失が低減された弁付管継手となる。
【発明を実施するための最良の形態】
【００１０】
次に、本発明の実施の形態を説明する。
図１及び図２に示すように、本実施の形態の弁付管継手１は、前述特許文献１に記載の弁付管継手と基本的には同じ部材で構成されている。
すなわち、本形態の弁付管継手１は、ノーズなどといわれる雄継手２と、ボディーなどといわれる雌継手３との組合せで構成されている。そして、雄継手２は、ノーズ本体などといわれる筒状の雄筒体１１を有し、この雄筒体１１の内周面１１ａが流路Ｌ１を形成している。同様に、雌継手３は、ボディー本体などといわれる筒状の雌筒体２１を有し、この雌筒体２１の内周面２１ａが流路Ｌ２を形成している。
【００１１】
このようにしてなる雄筒体１１及び雌筒体２１は、雄筒体１１の先端部１１Ａを雌筒体２１の先端部内周面２１Ａで形成された開口部に嵌入しつつ、例えば、螺合し、あるいは連結機構７０を利用するなどの適宜の方法で固定して、連結することができる。
【００１２】
また、雄継手２及び雌継手３は、流路Ｌ１，Ｌ２に、それぞれポペットバルブなどといわれる弁３０が備えられている。この弁３０は、ポペットなどといわれるテーパー状（円錐状）の頭部３１と、この頭部３１の基端面３１ａ（図２参照）から延出する（つまり基端側に延出する）頭部３１よりも小径の軸部３２とを有する。
【００１３】
さらに、雄継手２及び雌継手３は、流路Ｌ１，Ｌ２に、ポペットガイド、羽根部などといわれる弁３０の支持具Ａが備えられている。この弁支持具Ａは、筒体１１，２１の内周面１１ａ，２１ａに固定されて、弁３０の軸部３２を軸方向に移動可能に支持する。また、この弁支持具Ａは、筒体１１，２１の内周面１１ａ，２１ａにこの内周面１１ａ，２１ａから内周部が突出するように嵌め込まれた環状の掛止リング９に掛止されている。この掛止は、例えば、Ｃ型止め輪、スピロロックス等を利用して行い、あるいは内周面１１ａ，２１ａの一部が縮径してなる突状部を利用して行うこともできる。この掛止によって弁支持具Ａは、筒体１１，２１に対して、基端側へは移動不能に固定されている。
【００１４】
さらに、雄継手２及び雌継手３は、流路Ｌ１，Ｌ２に、コイル状のスプリング、バネなどからなる付勢部材８が備えられている。この付勢部材８は、弁支持具Ａと頭部３１の基端面３１ａとの間に介在されており、したがって、頭部３１は、付勢部材８によって先端側に付勢される。そして、この付勢により、雄筒体１１の先端部１１Ａが雌筒体２１の前述開口部に嵌入されていない状態（嵌入が外れた状態）においては、流路Ｌ１，Ｌ２が塞がれた状態となる。より詳細には、この流路Ｌ１，Ｌ２を形成する筒体１１，２１の内周面１１ａ，２１ａには、軸心側（内方）に突出する縮径部１２，２２が設けられている。そして、頭部３１が付勢されて先端側に移動すると、当該縮径部１２，２２の内周面（１１ａ，２１ａ）と頭部３１のテーパー面３１ｂ（図２参照）とが当接し、この当接によって流路Ｌ１，Ｌ２が塞がれる。
【００１５】
他方、雄筒体１１の先端部１１Ａが雌筒体２１の前述開口部に嵌入された状態においては、両流路Ｌ１，Ｌ２が連通した状態となる。より詳細には、まず、嵌入が外れた状態においては、流路Ｌ１に配置された頭部３１の先端部が、雄筒体１１の内周面１１ａに形成された縮径部１２の先端面から突出し、流路Ｌ２に配置された頭部３１の先端部が、雌筒体２１の内周面２１ａに形成された縮径部２２の先端面から突出している。また、嵌入状態においては、雄筒体１１の内周面１１ａに形成された縮径部１２の先端面と雌筒体２１の内周面２１ａに形成された縮径部２２の先端面とが突き当たり、位置決めされる。したがって、嵌入状態においては、両頭部３１が相互に押し合い、この押し合いにより両頭部３１が縮径部１２，２２から離れ、もって両流路Ｌ１，Ｌ２が連通する。
【００１６】
さらに、以上のようにして構成される弁付管継手１は、両流路Ｌ１，Ｌ２それぞれに、整流リングなどといわれる整流部材６が配置されている。この整流部材６は、軸心部に軸方向に貫通する貫通孔を有し、この貫通孔に付勢部材８及び弁３０の軸部３２が挿通されている。また、この整流部材６は、基端側から先端側に向かうに応じて径が広がり、先端縁の径が頭部３１の最大径に近づけられている。したがって、この整流部材６の配置により、流路Ｌ１，Ｌ２内を流れる流体が、頭部３１の基端面３１ａに衝突するのが防止され、もって圧力損失の低減が図られる。
【００１７】
一方、本形態において、雄継手２と雌継手３との連結方法は、特に限定されず、例えば、雄筒体１１と雌筒体２１とを螺合するなどして固定し、連結することもできる。ただし、本実施の形態では、連結容易性という観点から、連結機構７０を利用して固定し、連結する方法を採用している。この連結機構７０は、雌筒体２１の先端部に、同軸的に、かつ外接するように備えられたカラーなどといわれる連結筒体７１を有する。この連結筒体７１は、先端側が肉厚、基端側が肉薄とされ、この肉薄部の内周面と雌筒体２１の外周面との間にコイル状のスプリング、バネなどからなる付勢部材７２が介在されている。この付勢部材７２は、連結筒体７１の肉厚部と肉薄部との段差部分に掛合しており、連結筒体７１を先端側に付勢している。ただし、雌筒体２１の先端部外周面には、この外周面から突出するように環状のリングや、複数のボール部材等で構成された突部材７３が嵌め込まれている。したがって、連結筒体７１の肉厚部が当該突部材７３と掛合することによって、当該付勢による連結筒体７１の先端側への移動が限界付けられ、通常、この状態にある。一方、連結機構７０は、ボール部材７５を有し、このボール部材７５は、雌筒体２１の先端部に形成された孔７６内に配置されている。ボール部材７５は、通常、連結筒体７１の肉厚部内周面によって覆われ、外方への移動が阻止されている。また、孔７６の内方側の径はボール部材７５の径よりも小さくなっており、ボール部材７５は、雌筒体２１の先端部内周面２１Ａから突出した状態で移動不能となっている。本形態において、ボール部材７５及び孔７６は、雌筒体２１の周方向に適宜の間隔をおいて複数設けられている。
【００１８】
以上のようにしてなる連結機構７０を用いて雄継手２と雌継手３とを連結するにあたっては、まず、連結筒体７１を基端側に移動（スライド）し、ボール部材７５を外方へ移動可能とする。次に、この状態において、雄筒体１１の先端部１１Ａを雌筒体２１の先端部内周面２１Ａで形成された開口部に嵌入する。この嵌入時において、ボール部材７５は外方へ移動可能とされているため、ボール部材７５が嵌入の妨げとなることはない。この嵌入によって、図２に示すように、雄筒体１１の内周面１１ａに形成された縮径部１２の先端面と雌筒体２１の内周面２１ａに形成された縮径部２２の先端面とが突き当たった状態になると、ボール部材７５は、雄筒体１１の先端部１１Ａの外周面に形成された凹部７７内に嵌入する。そして、この状態において、連結筒体７１を基端側へ移動するのを中止すれば、連結筒体７１は付勢部材７２によって先端側に移動され、ボール部材７５を覆い、ボール部材７５の外方への移動を不能とする。このようにして、ボール部材７５と凹部７７とが掛合状態となり、雄継手２と雌継手３とが固定され、連結が完了する。
【００１９】
一方、本形態においては、雌筒体２１の先端部内周面２１Ａに周方向に沿う環状溝が形成されており、この環状溝内に、Ｏ‐リング等からなるシール材４が埋め込まれている。これにより、嵌入状態においては、シール材４の内周面と雄筒体１１先端部１１Ａの外周面とが当接し、当該雄筒体１１の先端部１１Ａ外周面と雌筒体２１の先端部内周面２１Ａとの間から流体が漏れるのが防止される。他方、嵌入が外された状態においては、図１に示すように、縮径部１２，２２の内周面と頭部３１のテーパー面３１ｂとが当接し、この当接によって流路Ｌ１，Ｌ２が塞がれる。本形態においては、この流路Ｌ１，Ｌ２の閉塞をより完全なものとするために、頭部３１のテーパー面３１ｂの、特に最大径部分に、周方向に沿う環状溝が形成されており、この環状溝内にシール材５が埋め込まれている。このシール材５は、例えば、Ｏ‐リングによって形成することや、特開２００６‐１０５２８５号公報に開示されるようなゴム材の焼付けによって形成することなどができる。
【００２０】
次に、本実施の形態の弁支持具Ａについて、説明する。なお、弁支持具Ａは、流路Ｌ１にも流路Ｌ２にも同じ形態のものを備えることができ、以下では、流路Ｌ１に備える場合を例に説明する。
【００２１】
本実施の形態の弁支持具Ａは、図３及び図４に示すように、軸通部Ａ１と、架渡し部Ａ２と、基部Ａ３とで主に構成される。軸通部Ａ１は、流路Ｌ１の断面方向に関して、弁３０を構成する軸部３２の周面に沿う形状、例えば、軸部３２が断面略真円形状とされている本形態においては、円弧状とされている。本形態において、軸通部Ａ１は、相互に対向するように２つ備えられており、この２つで軸部３２を囲い込む状態になっている。これにより、軸部３２は、軸方向へは移動可能に支持される。一方、架渡し部Ａ２は、軸通部Ａ１の両端部Ａ１ａからそれぞれ筒体１１の内周面１１ａまで延出しており、本形態では特に直線状とされている。また、基部Ａ３は、相互に隣接する軸通部Ａ１から延出する相互に隣接する架渡し部Ａ２の先端部Ａ２ａと繋がり、内周面１１ａに沿う形状、つまり内周面１１ａが断面略真円形状とされている本形態においては、円弧状とされている。このように架渡し部Ａ２が軸通部Ａ１と基部Ａ３とに繋がることによって、軸通部Ａ１が軸部３２から受けた力は、基部Ａ３、更には内周面１１ａに伝わる。したがって、この軸部３２からの力がよりダイレクトに内周面１１ａに伝わるよう（力がダイレクトに伝わらないと、軸部３２の移動方向が軸方向に対して傾いても内周面１１ａには伝わらず、傾いた状態での移動が解消されない可能性がある。）、架渡し部Ａ２は、流路Ｌ１の径方向に延出し、特に直線状に延出するのが好ましい。架渡し部Ａ２が直線状であると、材料費が削減されるとの効果や、圧力損失がより低減されるとの効果もある。また、弁支持具Ａの安定性という観点からは、基部Ａ３の長さが長い方が好ましい。この基部Ａ３の長さは、一の基部Ａ３と繋がる架渡し部Ａ２の中心角Ｚと比例する。したがって、この中心角Ｚが大きくなると弁支持具Ａは安定するが、他方、材料費や圧力損失も増加してしまう。そこで、これらのバランスという観点から、例えば、中心角Ｚを１５〜１８０°とするのが好ましく、図示例のように６０°とするのがより好ましい。
【００２２】
他方、本実施の形態の弁支持具Ａは、軸通部Ａ１、架渡し部Ａ２及び基部Ａ３が、いずれも流路Ｌ１の断面方向が肉薄となる板状とされている。これにより、図３から明らかなように、流路Ｌ１を通る流体の圧力損失が著しく低減する。しかも、平らな板材やパイプなどの折り曲げ加工や、切り抜き加工などによって、弁支持具Ａを製造することができ、製造コストが削減される。さらに、弁支持具Ａの長さＶ（軸部３２の軸方向を基準とする長さを意味する。）を長くするのみで、弁支持具Ａの強度（この強度には、例えば、軸通部Ａ１、架渡し部Ａ２及び基部Ａ３の一体化強度なども含まれる。）や安定性（例えば、内周面１１ａに対する安定性や、軸部３２を安定的に支持できる点など。）を適宜向上させることができる。もちろん、この弁支持具Ａの長さＶは、掛止リング９の位置によっても影響を受ける。例えば、掛止リング９が、従来の弁付管継手におけるよりも基端側に位置している場合は、弁支持具Ａの長さＶを長くすれば適応可能である。
【００２３】
本形態の弁支持具Ａと従来の弁支持具との比較試験を行ったところ、本形態の弁支持具Ａによると、圧力損失を４４％程度削減できることが知見された。
【００２４】
以上において板状とは、平らに広がっている状態、つまり平板状であることに限定されるものではなく、例えば、途中で折れたり曲がったりしている状態をも含む。また、弁支持具Ａの素材は、特に限定されず、例えば、ＳＵＳ３０３、３０４などを用いることができる。
【００２５】
本形態に係る弁支持具としては、以上で説明した弁支持具Ａに限定されず、公知の弁支持具なども適宜利用することができる。ただし、本形態の課題である圧力損失の低減という観点からは、弁支持具Ａの使用を推奨する。
【００２６】
次に、本形態の流路Ｌ１，Ｌ２を形成する筒体１１，２１の内周面１１ａ，２１ａの縮径部１２，２２について、詳細に説明する。なお、以下の形態は、雄継手２（内周面１１ａ）及び雌継手３（内周面２１ａ）のいずれにも適用可能であるが、以下では、雌継手３に適用する場合を例に説明する。
【００２７】
図５の（１）に示すように、本形態の縮径部２２は、軸方向に関して、基端側（縮径開始位置Ｙ２から縮径変化位置Ｙ３まで）の縮径角度（Ｂｙ）が相対的に大きく、先端側（縮径変化位置Ｙ３から縮径終了位置Ｙ４まで）の縮径角度（Ｂｘ）が相対的に小さくされている。この点、縮径開始位置Ｙ２近傍は流路Ｌ２の面積が狭くなって流体の圧力損失が生じ易い。しかしながら、基端側の縮径角度（Ｂｙ）が相対的に大きくされていると、縮径開始位置Ｙ２近傍の流路Ｌ２の面積が広くなり、圧力損失が低減する。また、図５の（１）及び（２）に示すように、基端側の縮径部２２に衝突した流体は、符号Ｎ１で示すように、頭部３１に向かって流れ、当該頭部３１に衝突した流体は、符号Ｎ２で示すように、先端側の縮径部２２に衝突する。したがって、先端側の縮径角度（Ｂｘ）が相対的に小さくされていると、流体が先端側の縮径部２２に衝突した際の圧力損失（以下「先端側圧力損失」という。）が低減される。もちろん、この形態による場合、流体が基端側の縮径部２２に衝突した際の圧力損失（以下「基端側圧力損失」という。）は大きくなるが、先端側圧力損失と後端側圧力損失との比は、例えば、軸方向に関する縮径変化位置Ｙ３や縮径角度Ｂｘ，Ｂｙ等を変化させることによって適宜調節可能である。したがって、頭部３１の形状や流速、流量などをも考慮すれば、当該圧力損失比を調節することによって、全体としての圧力損失を低減させることができる。特に、前述流路Ｌ２の面積を広げるという観点をも含めると、本形態のように縮径角度を変化させる方が好ましい。この際、基端側の縮径角度（Ｂｙ）と先端側の縮径角度（Ｂｘ）との差（Ｂｙ−Ｂｘ）は、好ましくは５〜６０°、より好ましくは１０〜３０°である。角度差が５°を下回ると流路Ｌ２が狭くて流体の抵抗が高まり、圧力損失が低減されない。他方、角度差が６０°を上回ると流路が急激に拡がり過ぎて流速が低下し、流体がつまった状態となるため、圧力が上昇し、圧力損失が生じる。
【００２８】
また、以上においては、嵌入の状態において、縮径部１２の縮径開始位置Ｙ２が、頭部３１の最大径相当位置Ｙ１よりも、図５の（２）に示すように（前述特許文献１の形態を示している。）、基端側とされているのではなく、図５の（１）に示すように、先端側とされているのが好ましい。これは、図５の（２）に示すように、縮径開始位置Ｙ２が最大径相当位置Ｙ１の基端側とされていると、基端側の縮径部２２（特に最大径相当位置Ｙ１と縮径開始位置Ｙ２との間の部位）に衝突した流体が、符号Ｎ３で示すように、頭部３１の最大径部分近傍や頭部３１と整流部材６との境界に向かい、乱流が発生するおそれがある。乱流の発生は、圧力損失の原因となる。
【００２９】
さらに、本形態においては、図５の（３）に示すように、雌筒体２１の内周面２１ａの径が変化する位置Ｃ１〜Ｃ５や、整流部材６の角部Ｃ７，Ｃ８について、面取りがされているとより好ましいものとなる。これらの面取りは、乱流の発生を抑制するものであるところ、１つの乱流が次の乱流を助長する（大きくする）場合があるため、これら全ての面取りを行っておくと、圧力損失を大きく低減することができる。
【産業上の利用可能性】
【００３０】
本発明は、例えば、カップラーなどといわれる弁付管継手として、適用可能である。
【図面の簡単な説明】
【００３１】
【図１】実施の形態に係る弁付管継手の連結前の状態を示す半断面図である。
【図２】実施の形態に係る弁付管継手の連結後の状態を示す半断面図である。
【図３】実施の形態に係る弁支持具を示す平面図である。
【図４】実施の形態に係る弁支持具を示す正面図である。
【図５】実施の形態に係る筒体内周面の形状を説明するための図である。
【符号の説明】
【００３２】
１…弁付管継手、２…雄継手、３…雌継手、４，５…シール材、６…整流部材、８…付勢部材、９…掛止リング、１１…雄筒体、１２，２２…縮径部、２１…雌筒体、３０…弁、３１…頭部、３２…軸部、７０…連結機構、７１…連結筒体、７２…付勢部材、７３…突部材、７５…ボール部材、７６…孔、７７…凹部、Ａ…弁支持具、Ａ１…軸通部、Ａ２…架渡し部、Ａ３…基部、Ｌ１，Ｌ２…流路。
【図１】
0005188787.tif 000002
【図２】
0005188787.tif 000003
【図３】
0005188787.tif 000004
【図４】
0005188787.tif 000005
【図５】
0005188787.tif 000006